(57)【要約】      （修正有）【課題】収納空間の形態を調整でき、分解、組み立てでき、パレットの機能を有する物品収納用箱体を提供する。【解決手段】下端に突起を形成し、長手方向の両側面に、外方向に延伸する連結突起１３を形成し、一方の面には縦方向に複数のレール溝１４を形成した側板１と、上面に複数の孔部４３、４５を穿設し、底面に複数の突起部を形成した底部連結部材２と、によって側板ユニットを構成し、上面に複数の孔部を穿設し、側板１に接する面に側板１の連結突起１３が嵌着する連結溝３１を形成した複数のコーナー連結部材３と、複数の該側板ユニットと、によって枠体を構成し、底面に底部連結部材２の上面に形成した孔部に対応する複数の突起を形成した複数の底板を該枠体内に敷設し、該枠体の底面に複数の支持貫通溝４１を形成し、かつ上面には段差を付けて底部連結部材２の底面に形成した複数の突起部に対応する複数の孔部４３，４５を形成した複数の脚部４を設ける。【選択図】図１
0003147504.tif 000002
【実用新案登録請求の範囲】
【請求項１】
側板と底部連結部材とによってなる複数の側板ユニットと、
該複数の側板ユニットと、複数のコーナー連結部材とによってなる枠体と、
該枠体の底面に複数の底板を敷設してなる収納箱本体と、
該収納箱本体の底部に、該底板の長手方向に直交する方向に沿って設ける複数の脚部と、
該収納箱本体内に設ける少なくとも一以上の仕切り板と、によって構成され、かつこれらの部材がそれぞれ着脱自在に設けられる物品収納用箱体であって、
該側板は下端に突起を形成し、長手方向の両側面には、外方向に延伸する連結突起を形成するとともに、該枠体の内壁となる一方の面には縦方向に複数のレール溝を形成し、
該底部連結部材は、上面に複数の孔部を穿設するとともに、底面には複数の突起部を形成し、
該底板は底面に該底部連結部材の上面に形成した孔部に対応する複数の突起を形成し、
該連結部材は、該側板に接する面に該側板の連結突起が嵌着する連結溝を形成し、
該脚部は、短手方向に貫通する複数の支持貫通溝を形成するとともに上面には段差を付けて上段部と下段部とを形成し、該上段部と該下段部にはそれぞれ該底部連結部材の底面に形成した複数の突起部に対応する複数の孔部を形成することを特徴とする物品収納用箱体。
【請求項２】
前記仕切り板が、前記枠体の長手方向に沿って設けられるか、もしくは前記枠体の短手方向に沿って設けられることを特徴とする請求項１に記載の物品収納用箱体。
【請求項３】
前記それぞれの側板の下端に、下方に延伸し、かつ溝を有する支持突起部を形成し、かつ前記底部連結部材の該支持突起部に対応する位置に嵌着溝を形成し、該側板の支持突起部を該底部連結部材の嵌着溝に嵌入させて前記側板ユニットを構成することを特徴とする請求項１に記載の物品収納用箱体。
【請求項４】
前記それぞれの側板の下端に逆Ｔ字状の支持突起部を形成し、横方向から前記底部連結部材の嵌着溝に嵌挿して前記側板ユニットを構成することを特徴とする請求項１に記載の物品収納用箱体。
【請求項５】
前記それぞれの側板の下端に所定の間隔を置いて少なくとも１以上の逆Ｔ字状の支持突起部を形成し、前記底部連結部材の対応する孔部に嵌入させて前記側板ユニットを構成することを特徴とする請求項１に記載の物品収納用箱体。
【考案の詳細な説明】
【技術分野】
【０００１】
この考案は収納箱に関し、特に該物品の収納、もしくは運送に供するとともに、箱体自体を組み立て、分解できる収納箱に関する。
【背景技術】
【０００２】
物品を運送する場合、パレットが使用される。パレットは、荷物をのせたままフォークリフトなどで移動するようにした荷台であるが、ダンボールなどの箱で梱包した荷物であれば、パレットに積み重ねて固定できるが、大きさの異なる大小の物品を固定するのに適しない。
【０００３】
また、大きさの異なる大小物品は収納箱に収納して運送、保管する。目下、業者が各種物品を収納する箱体は、形態上二種類に大別することができる。即ち、一体成型され、所定の容積を有するものと、箱体を構成する部材が折り畳み、展開できるか、もしくは箱体を構成する部材が組み立て、分解できるものの二種類である。
【０００４】
前述の後者の形態の箱体について言えば、既存する折り畳み式の箱体は、通常、所定の幅の底板の四隅に左右側板、及び前後側板を枢設してなる。係る構成の箱体は、使用しないで収納する場合、構成部材であるそれぞれの側板が重なり合った状態となり，使用時にはそれぞれの側板を立たせて、適宜な手段で連結し、箱体とする。
【考案の開示】
【考案が解決しようとする課題】
【０００５】
然しながら、従来の縮小、展開可能な収納用箱体は、収納空間と、その容積が一定で、様々な用途の収納物品の必要性に対応できない。さらに、パレットのようにフォークリフトなどで移動させる手段を具えない。
【０００６】
そこで、この考案による収納用箱体は簡易な作業で組み立て、分解ができ、使用時において収納する物品の必要性に応じて収納空間を構成でき、かつパレットとしての機能を有し、収納する物品の収納、運送に供することができ、使用しないで収納する場合は簡易な操作で分解でき、体積を縮小して収納、搬送の空間を占めることがない物品収納用箱体を提供することを課題とする。
【課題を解決するための手段】
【０００７】
そこで本考案者は従来の技術に見られる欠点に鑑み鋭意研究を重ねた結果、下端に突起を形成し、長手方向の両側面には、外方向に延伸する連結突起を形成するとともに、該枠体の内壁となる一方の面には縦方向に複数のレール溝を形成した側板と、上面に複数の孔部を穿設するとともに、底面に複数の突起部を形成した底部連結部材と、によって側板ユニットを構成し、
上面に複数の孔部を穿設するとともに、該側板に接する面に該側板の連結突起が嵌着する連結溝を形成した複数のコーナー連結部材と、複数の該側板ユニットと、によって枠体を構成し、
底面に該底部連結部材の上面に形成した孔部に対応する複数の突起を形成した複数の底板を該枠体内に敷設するとともに、該枠体の底面には、短手方向に貫通する複数の支持貫通溝を形成するとともに上面には段差を付けて上段部と下段部とを形成し、該上段部と該下段部にはそれぞれ該底部連結部材の底面に形成した複数の突起部に対応する複数の孔部を形成した複数の脚部を設けて物品収納用箱体を構成することで、課題を解決できる点に着眼し、係る知見に基づいて本考案を完成させた。
【０００８】
以下、この考案について具体的に説明する。
請求項１に記載する物品収納用箱体は、側板と底部連結部材とによってなる複数の側板ユニットと、
該複数の側板ユニットと、複数のコーナー連結部材とによってなる枠体と、
該枠体の底面に複数の底板を敷設してなる収納箱本体と、
該収納箱本体の底部に、該底板の長手方向に直交する方向に沿って設ける複数の脚部と、
該収納箱本体内に設ける少なくとも一以上の仕切り板と、によって構成され、かつこれらの部材がそれぞれ着脱自在に設けられる物品収納用箱体であって、
該側板は下端に突起を形成し、長手方向の両側面には、外方向に延伸する連結突起を形成するとともに、該枠体の内壁となる一方の面には縦方向に複数のレール溝を形成し、
該底部連結部材は、上面に複数の孔部を穿設するとともに、底面には複数の突起部を形成し、
該底板は底面に該底部連結部材の上面に形成した孔部に対応する複数の突起を形成し、
該コーナー連結部材は、該側板に接する面に該側板の連結突起が嵌着する連結溝を形成し、
該脚部は、短手方向に貫通する複数の支持貫通溝を形成するとともに上面には段差を付けて上段部と下段部とを形成し、該上段部と該下段部にはそれぞれ該底部連結部材の底面に形成した複数の突起部に対応する複数の孔部を形成する。
【０００９】
請求項２に記載する物品収納用箱体は、請求項１における仕切り板が、前記枠体の長手方向に沿って設けられるか、もしくは前記枠体の短手方向に沿って設けられる。
【００１０】
請求項３に記載する物品収納用箱体は、請求項１におけるそれぞれの側板の下端に、下方に延伸し、かつ溝を有する支持突起部を形成し、かつ前記底部連結部材の該支持突起部に対応する位置に嵌着溝を形成し、該側板の支持突起部を該底部連結部材の嵌着溝に嵌入させて前記側板ユニットを構成する。
【００１１】
請求項４に記載する物品収納用箱体は、請求項１におけるそれぞれの側板の下端に逆Ｔ字状の支持突起部を形成し、横方向から前記底部連結部材の嵌着溝に嵌挿して前記側板ユニットを構成する。
【００１２】
請求項５に記載する物品収納用箱体は、請求項１におけるそれぞれの側板の下端に所定の間隔を置いて少なくとも１以上の逆Ｔ字状の支持突起部を形成し、前記底部連結部材の対応する孔部に嵌入させて前記側板ユニットを構成する。
【考案の効果】
【００１３】
この考案による収納箱体は、用途に応じて内部収納空間を調整でき、収納する物品の形状などに合わせることができ、効率のよい収納効果が得られる。
【００１４】
また、この考案による収納箱体は、フォークリフトなどで移動させることができるというパレットの機能を具える。よって、大きさの異なる大小物品を効率よく収納し、かつ効率よく運送、保管することができるという利点を有する。
【００１５】
さらに、この考案による収納箱体は、使用しない場合は簡易な作業によって短時間で分解することができ、収納のために占める空間を縮小することができるという利点を有する。
【考案を実施するための最良の形態】
【００１６】
この考案は、収納する物品の必要性に応じて収納空間を構成でき、分解、組み立てが容易で、さらにはパレットとしての機能を有する物品収納用の箱体を提供するものであって、下端に突起を形成し、長手方向の両側面に、外方向に延伸する連結突起を形成し、一方の面には縦方向に複数のレール溝を形成した側板と、上面に複数の孔部を穿設し、底面に複数の突起部を形成した底部連結部材と、によって側板ユニットを構成し、上面に複数の孔部を穿設し、該側板に接する面に該側板の連結突起が嵌着する連結溝を形成した複数のコーナー連結部材と、複数の該側板ユニットと、によって枠体を構成し、底面に該底部連結部材の上面に形成した孔部に対応する複数の突起を形成した複数の底板を該枠体内に敷設し、該枠体の底面に複数の支持貫通溝を形成し、かつ上面には段差を付けて該底部連結部材の底面に形成した複数の突起部に対応する複数の孔部を形成した複数の脚部を設ける。
係る収納箱体の特徴を説明するために、図面を参照して以下に具体的な実施例を詳述する。
【実施例１】
【００１７】
この考案による収納箱は、図１、２に開示するように、複数の側板１と、複数の底部連結部材２とによって側板ユニットを構成し、複数の該側板ユニットと、複数のコーナー連結部材３とによって、枠体を形成、該枠体内に複数の底板５を敷設して収納箱本体７を構成し、収納箱本体７の底面に複数の脚部４を設けるとともに、収納箱本体７内部の物品収納空間に複数の仕切り板６を設ける。これら部材は、いずれも着脱自在に設けることによって、この考案よる収納箱は自在に組み立て、分解が可能になる。
【００１８】
側板１は、適宜な方法で成型し、所定の幅を具えてなり、収納箱本体７の周囲の側壁を構成する部材である（実施例においては、図示するように前後側板に用いる板材は、左右側板に用いる板在に比して幅を広くする）。図４に開示するように、側板１の下端には溝１２を形成した突起１１を形成し、かつ側板１の長手方向の両側面には、外方向に延伸する連結突起１３を形成する。また収納箱本体７の内壁となる側板１の一方の面には、所定の間隔を置いて複数のレール溝１４を形成する。
【００１９】
図４に開示するように、底部連結部材２は，それぞれの側板１の長さに応じて、長さ、幅を決め、かつ側板１より大きめの長さとする底面側の接続部材であって、複数の孔部２１を穿設するとともに（孔部２１を穿設する間隔は、対応する側板１の下端の突起１１の間隔によって決まる）、底部連結部材２の底面には複数の突起部（図示しない）を形成する。
【００２０】
コーナー連結部材３は、側板１を立設して収納箱本体７を構成する場合に、四隅に設ける接続部材であって、側板１に接する面に連結溝３１を形成する。
【００２１】
脚部４は、長い方の底部連結部材２の大きさ応じて幅、長さが決まる支持部材であって、脚部４を短手方向に貫通する複数の支持貫通溝４１を形成する。支持貫通溝４１は、フォークリフトのフォークの先端が挿入できる大きさとする。よって、この考案による収納用箱体は、係る支持貫通溝４１を形成した脚部４を設けることで、パレットの機能を有する。また、脚部４の上面には段差を付けて上段部４２と下段部４４とを形成する。上段部４２には複数の孔部４３を形成する（孔部４３は底部連結底板２の底面に形成した複数の突起部に対応して形成する）。また、下段部４４には複数の孔部４５を形成する。
【００２２】
仕切り板６は、図３に開示するように、収納箱本体７の長手方向に対向して立設する両側板１間の距離及び／もしくは短手方向に対向して立設する両側板１間の距離に応じて長さが決まる板体である。当然のことながら、仕切り板をＴ字状（図示しない）、もしくは十字状（図示しない）に成型してもよい。この場合、内部収納空間の多様性がさらに高まる。
【００２３】
上述する複数の側板１と、複数の底部連結部材２と、複数のコーナー連結部材３と、複数の脚部４と、複数の底板５と、及び複数の仕切り板６を組み立てる手順は図１から図３に開示するとおりであって、先ず、図４に開示するように、それぞれの側板１の下端に形成した溝１２を有する複数の突起１１を底部連結部材２の孔部２１に嵌入させて、図５に開示する側板ユニット１５を構成する。
【００２４】
次いで、図１、２に開示するように、側板１の長手方向の両側面に形成した連結突起部１３をコーナー連結部材３に形成した連結３１溝に嵌入させて、枠体を構成する。
【００２５】
また、それぞれの底部連結部材２の底面に形成した複数の突起部を対応する脚部の上段部４２に形成した孔部４３に嵌入させて、図２に開示するように、上述する手順で構成した枠体の下端に脚部４を設ける。
【００２６】
また、図２に開示するように、前記枠体の下端に設けた脚部４と垂直に交叉する方向に沿って、複数の底板５を設ける。底板５の底面には複数の突起を形成し、該突起を脚部４の上面の下段部４４に形成した孔部４５に嵌入させて、収納箱本体７を構成する。
【００２７】
同時に、収納箱本体７には、収納する物品の必要に応じて仕切り板６を設ける。即ち、図４に開示するように、側体１に形成したレール溝１４に仕切り板６の両端を嵌入させて図３に開示するように仕切られた収納空間７１を形成する。
【実施例２】
【００２８】
図６、７に開示するように、第２の実施の形態において、側板ユニット１５’は、それぞれの側板１の下端が延伸して、溝１６１を有する支持突起部１６を形成し、かつ独立した底部連結部材２の該支持突起部１６に対応する位置に嵌着溝２２を形成し、側板１の支持突起部１６を底部連結部材２の嵌着溝２２に嵌入させて側板ユニット１５’を構成する。
【実施例３】
【００２９】
図８、１０に開示するように、第３の実施の形態において、側板ユニット１５’’は、それぞれの側板１の下端に逆Ｔ字状の支持突起部１７を形成し、横方向から独立した底部連結部材２の嵌着溝２２に嵌挿して側板ユニット１５’’を構成する。
【実施例４】
【００３０】
図９、１０に開示するように、第４の実施の形態において、側板ユニット１５’’は、それぞれの側板１の下端に所定の間隔を置いて少なくとも１以上の逆Ｔ字状の支持突起部１８を形成し、独立した底部連結部材２の対応する孔部２３内の他方に向かった比較的狭い矩形溝２４に嵌入させて側板ユニット１５’’’を構成する。
【００３１】
以上の構成によるこの考案の収納箱体は、次に掲げる特徴を具える。
１、この考案による収納箱体は、用途に応じた収納空間を構成することができ、かつ使用しない場合は簡易な作業によって短時間で分解することができ、収納のために占める空間を縮小することができる。
２、この考案による収納箱体は、使用しない場合、分解して積載体積を縮小させ、積み重ねて保管することができ、収納、保管のための空間を占めない。
３、  この考案による収納箱体はパレットとしての機能を有し、物品の収納、運送に便利である。
【００３２】
以上はこの考案の好ましい実施の形態であって、この考案の実施の範囲を限定するものではない。よって、この考案の精神の下において当業者によってなされ。かつ均等の効果を有する修正、変更などは、いずれもこの考案実用新案登録請求の範囲に属するものとする。
【図面の簡単な説明】
【００３３】
【図１】この考案による収納用箱体の分解説明図である。
【図２】この考案における底板を設ける態様を示した説明図である。
【図３】この考案における仕切り板を設ける態様を示した説明図である。
【図４】第１の実施の形態における側板ユニットの分解説明図である。
【図５】第１の実施の形態における側板ユニットの断面説明図である。
【図６】第２の実施の形態における側板ユニットの分解説明図である。
【図７】第２の実施の形態における側板ユニットの断面説明図である。
【図８】第３の実施の形態における側板ユニットの分解説明図である。
【図９】第４の実施の形態における側板ユニットの分解説明図である。
【図１０】第３、４の実施の形態における側板ユニットの断面説明図である。
【符号の説明】
【００３４】
１                側板
１１              突起
１２、１６１      溝
１３              連結突起
１４              レール溝  
１５、１５’、１５’’、１５’’’ 側板ユニット
１６、１７、１８  支持突起部
２                底部連結部材
２１、２３、４３、４５  孔部
２２              嵌着溝
２４、３１        連結溝
３                コーナー連結部材
４                脚部
４１              支持貫通溝
４２              上段部
４４              下段部
５                底板
６                仕切り板
７                収納箱本体
７１              収納空間
【図１】
0003147504.tif 000003
【図２】
0003147504.tif 000004
【図３】
0003147504.tif 000005
【図４】
0003147504.tif 000006
【図５】
0003147504.tif 000007
【図６】
0003147504.tif 000008
【図７】
0003147504.tif 000009
【図８】
0003147504.tif 000010
【図９】
0003147504.tif 000011
【図１０】
0003147504.tif 000012